(57)【特許請求の範囲】
【請求項１】
解錠回数を表す数値を外部から視認可能に表示窓から表示するカウンタを備えた南京錠であって、
第１のシャックル受け穴及び第２のシャックル受け穴の開口を有する一端面と、その反対側の他端面と、両端面間を接続する前面、後面及び左右側面を有し、前面に前記表示窓が開口する錠本体と、
前記錠本体の第１のシャックル受け穴に受け入れ可能な長脚部及び第２のシャックル受け穴に受け入れ可能な短脚部を有し、後退位置と伸張位置との間で軸方向に移動可能で伸張位置に付勢され、長脚部はシャックル受け穴内においてノッチを具備し、短脚部は、伸張位置で錠本体から引き出されるシャックルと、
鍵により解錠位置と施錠位置との間を回転されるロータと、当該ロータを収容するシリンダケースとを有し、ロータの一端側の鍵孔を前記錠本体の他端面に露出させて当該錠本体内に設けられるシリンダ錠と、
前記シリンダ錠のロータに連動して施錠位置と解錠位置との間を正逆回転可能で施錠位置に付勢されて前記錠本体内に設けられ、ロータと共に施錠位置にあるとき前記シャックルのノッチに係合してこれを後退位置に拘束し、ロータと共に解錠位置にあるときノッチから離脱してシャックルを解放するラッチ部材と、
外周に周方向に所定角度毎に等間隔に表示された連続数字を有し、前記ロータの解錠方向の回転に連動して所定角度ずつ回転するように前記錠本体内に設けられ、ロータの解錠方向の回転毎にロータの積算回転数に対応する数字を錠本体の前記表示窓から順次外部に表示するカウンタダイヤルと、
前記ロータの解錠方向の回転を前記カウンタダイヤルに伝えるように前記錠本体内に設けられる伝動機構と、を具備し、
前記シリンダ錠は、前記ロータの回転軸線を前記シャックルの長脚部の軸線と平行に配置し、ロータの他端側を前記シリンダケースから突出させて前記錠本体内に固定され、
前記ラッチ部材は、本体と軸部とを有し、本体は、前記シャックルのノッチに係脱自在のラッチ部を有し、前記ロータの他端側にロータと一体回転するように結合され、軸部は、本体からロータの回転軸線に沿って前記錠本体の一端側へ延出して錠本体に枢支され、
前記カウンタダイヤルは、所定の回転抵抗を付与されて前記ラッチ部材の軸部周りに回転自在に支持され、外周の前記数字表示の数に対応する数の歯を有する同軸のラチェットギア部を有し、
前記伝動機構は、前記ラッチ部材と一体回転するようにラッチ部材に結合される保持部材と、この保持部材にラッチ部材の前記軸部と平行に支持される軸部材と、この軸部材に枢支され前記カウンタダイヤルのラチェット歯に係合して前記ロータの解錠方向の回転時にカウンタダイヤルを所定角度回転させて前記表示窓から露出する前記数字表示を増加方向に変更するラチェット爪部材とを具備することを特徴とする解錠度数カウンタ付き南京錠。
【発明の詳細な説明】
【技術分野】
【０００１】
本発明は、解錠回数を表す数値を外部から視認可能に表示窓から表示するカウンタを備えた南京錠に関する。
【背景技術】
【０００２】
施錠中に、管理者が意図しない解錠が行われたか否かを確認することができる南京錠として、施錠した錠前を解錠する毎に解錠度数を表示するようにしたものが特許文献１に提案されている。この南京錠は、施解錠に伴う施錠アームの軸方向の動きに連動してホックレバーを介してホック体を揺動させ、この揺動により度数表示器の回転軸端に取り付けられた爪部材車を１歯ずつ回転させ、表示度数を１ずつ加算するものである。
【先行技術文献】
【特許文献】
【０００３】
【特許文献１】実開昭５８−７５８６７号公報
【発明の概要】
【発明が解決しようとする課題】
【０００４】
本発明は、上記従来の南京錠とは異なる緻密な機構により、よりコンパクトで堅牢な解錠度数カウンタ付きの南京錠を提供することを目的としている。
【課題を解決するための手段】
【０００５】
以下、添付図面の符号を参照して説明するが、本発明はこれに限定されるものではない。
上記課題を解決するための、本発明の南京錠１は、錠本体２、シャックル３及び錠本体２内に設けられるシリンダ４錠、ラッチ部材５、カウンタダイヤル６、伝動機構７を具備する。錠本体２は、一端面２１に、第１のシャックル受け穴２２及び第２のシャックル受け穴２３の開口を有し、前面２４に表示窓２５が開口する。シャックル３は、錠本体２の第１のシャックル受け穴２２に受け入れ可能な長脚部３１と、第２のシャックル受け穴２３に受け入れ可能な短脚部３２を有し、後退位置と伸張位置との間で軸方向に移動可能で伸張位置に付勢され、長脚部３１はシャックル受け穴２２内においてノッチ３３を具備し、短脚部３２は、伸張位置で錠本体２から引き出される。シリンダ錠４は、鍵により解錠位置と施錠位置との間を回転されるロータ４２と、当該ロータ４２を収容するシリンダケース４１とを有し、ロータ４２の一端側の鍵孔４２ａを錠本体２の他端面２６に露出させて錠本体２内に設けられる。ラッチ部材５は、シリンダ錠４のロータ５２に連動して施錠位置と解錠位置との間を正逆回転可能で、施錠位置に付勢されて錠本体２内に設けられ、施錠位置にあるときシャックル３のノッチ３３に係合してこれを後退位置に拘束し、解錠位置にあるときノッチ３３から離脱してシャックル３を解放する。カウンタダイヤル６は、外周に周方向に所定角度毎に等間隔に表示された連続数字６１ａ、６１ｂを有し、ロータ４２の解錠方向の回転に連動して所定角度ずつ回転するように錠本体２内に設けられ、回転毎にロータ４２の積算回転数に対応する数字を錠本体２の表示窓２５から順次外部に表示する。伝動機構７は、ロータ４２の解錠方向の回転をカウンタダイヤル６に伝えるように錠本体２内に設けられる。シリンダ錠４は、ロータ４２の回転軸線をシャックルの長脚部３１の軸線と平行に配置し、ロータ４２の他端側をシリンダケース４１から突出させて錠本体２内に固定される。ラッチ部材５は、本体５１と軸部５２とを有し、本体５１は、シャックル３のノッチ３３に係脱自在のラッチ部５１ｂを有し、ロータ４２の他端側にロータ４２と一体回転するように結合される。軸部５２は、本体５１からロータ４２の回転軸線に沿って錠本体２の一端側へ延出し、錠本体２に枢支される。カウンタダイヤル６は、所定の回転抵抗を付与されてラッチ部材５の軸部周りに回転自在に支持され、同軸のラチェットギア部６２を有する。ラチェットギア部６２は、カウンタダイヤル６の外周の数字表示６１ａ、６１ｂの数に対応する数の歯溝６２ａ、６２ｂを有する。伝動機構７は、保持部材７１と、軸部材７２と、ラチェット爪部材７３とを具備する。保持部材７１は、ラッチ部材５と一体回転するようにラッチ部材５に結合される。軸部材７２は、ラッチ部材５の軸部５２と平行に保持部材７１に支持される。ラチェット爪部材７３は、軸部材７２に枢支され、カウンタダイヤル６のラチェット歯に係合し、ロータ４２の解錠方向の回転時にカウンタダイヤル６を所定角度回転させて表示窓２５から露出する数字表示を増加方向に変更する。
【発明の効果】
【０００６】
本発明の南京錠１は、コンパクトで堅牢な解錠度数カウンタ付きの南京錠を提供することを目的としている。
【図面の簡単な説明】
【０００７】
【図１】本発明に係る解錠度数カウンタ付き南京錠の正面図である。
【図２】図１の解錠度数カウンタ付き南京錠の背面側から見た断面図である。
【図３】図１の解錠度数カウンタ付き南京錠の横断平面図である。
【図４】図１の解錠度数カウンタ付き南京錠の底面図である。
【図５】図１の解錠度数カウンタ付き南京錠におけるカウンタダイヤルを示すもので、の（Ａ）は一部を切り欠いた正面図、（Ｂ）は平面図である。
【図６】図１の解錠度数カウンタ付き南京錠におけるラッチ部材を示すもので、（Ａ）は平面図、（Ｂ）は断面図、（Ｃ）は底面図である。
【図７】図１の解錠度数カウンタ付き南京錠における保持部材を示すもので、（Ａ）は平面図、（Ｂ）は正面図である。
【図８】図１の解錠度数カウンタ付き南京錠におけるラチェット爪部材を示すもので、（Ａ）は平面図、（Ｂ）は正面図である。
【図９】図１の解錠度数カウンタ付き南京錠における軸部材とばねを示すもので、（Ａ）は平面図、（Ｂ）は正面図である。
【図１０】図１の解錠度数カウンタ付き南京錠におけるカウンタダイヤルと伝動機構の動作を説明する平面図である。
【発明を実施するための形態】
【０００８】
図面を参照して本発明の実施の形態を説明する。
図２に示すように、南京錠１は、錠本体２、シャックル３及び錠本体２内に設けられるシリンダ錠４、ラッチ部材５、カウンタダイヤル６、伝動機構７を具備する。
【０００９】
錠本体２は、一端面２１に、第１のシャックル受け穴２２及び第２のシャックル受け穴２３の開口を有し、図１，３に示すように、前面２４に表示窓２５が開口する。
【００１０】
シャックル３は、錠本体２の第１のシャックル受け穴２２に受け入れ可能な長脚部３１と、第２のシャックル受け穴に受け入れ可能な短脚部３２を有し、後退位置（施錠位置）と伸張位置（解錠位置）との間で軸方向に移動可能で、ばね３４により、伸張位置に付勢される。長脚部３１はシャックル受け穴２２内においてノッチ３３を具備する。ノッチ３３の両端に当接してシャックル３を抜け止めするストッパピン３４が、シャックル受け穴２２に一部突出するように錠本体２に固定される。短脚部３２は、伸張位置で錠本体２１から引き出され、シャックル３に拘束されている被施錠部材を解放することができる。
【００１１】
シリンダ錠４は、図示しない鍵により解錠位置と施錠位置との間を回転されるロータ４２と、当該ロータ４２及び図示しない錠機構を収容するシリンダケース４１とを有する。シリンダ錠４は、ロータ４２の一端側の鍵孔４２ａを錠本体２の他端面２６に露出させて錠本体２内に設けられる。ロータ４２は、その回転軸線がシャックルの長脚部３１の軸線と平行になるように配置され、他端側の角軸部４２ｂがシリンダケース４１から突出している。
【００１２】
ラッチ部材５は、シリンダ錠４のロータ４２に連動して施錠位置と解錠位置との間を正逆回転可能で、ばね５４により、施錠位置に付勢されて錠本体２内に設けられる。ラッチ部材５は、平板状の本体５１と、本体５１から垂直に延出する軸部５２とを具備する。
【００１３】
図６に示すように、ラッチ部材の本体５１は、ロータ４２の角軸部４２ｂに嵌合する角穴部５１ａと、シャックル３のノッチ３３に係脱自在のラッチ部５１ｂと、ばね受け凹部５１ｃを有する。
【００１４】
ラッチ部材の軸部５２は、本体５１からロータ４２の回転軸線に沿って錠本体２の一端側へ延出し、枢ピン５３で錠本体２に枢支される。
【００１５】
ラッチ部５１ｂは、本体５１から側方へ突出するように設けられ、ラッチ部材５が施錠位置にあるとき、シャックル３のノッチ３３に係合してこれを後退位置（施錠位置）に拘束し、解錠位置にあるときノッチ３１ａから離脱してシャックル３を解放する。
【００１６】
カウンタダイヤル６は、ロータ４２の解錠方向の回転に連動して所定角度ずつ回転し、その解錠回数を積算して表示窓２５から表示するように、錠本体２内に設けられる。カウンタダイヤル６は、２桁までの解錠回数を表示するために、１の位を表示するカウンタダイヤル６ａと、１０の位を表示するカウンタダイヤル６ｂの２つが、図２において上下に重ねて設けられる。図５に示すように、カウンタダイヤル６は、円盤状の表示部６１と、これと同軸に上方へ突出するように形成されたラチェットギア部６２とを具備し、中心にラッチ部材の軸部５２を受ける軸受け孔６３が貫通する。したがって、カウンタダイヤル６は、ラッチ部材５の軸部５２に対して軸周りに相対回転自在であるが、板ばね６４によって、所定の回転抵抗が付与される。
【００１７】
表示部６１は、外周に周方向に所定角度毎に等間隔に表示された連続数字６１ａを有し、回転毎にロータ４２の積算回転数に対応する数字６１ａを錠本体２の表示窓２５から順次外部に表示する。
【００１８】
ラチェットギア部６２は、表示部６１の外周の数字表示６１ａの数に対応する数の歯溝６２ａ，６２ｂを有する。１つの歯溝６２ｂだけは、他の複数の歯溝６２ａより深く形成される。
【００１９】
伝動機構７は、ロータ４２の解錠方向の回転をカウンタダイヤル６に伝えるように錠本体２内に設けられる。伝動機構７は、保持部材７１（図７）と、軸部材７２（図９）と、ラチェット爪部材７３（図８）とを具備する。
【００２０】
保持部材７１は、２つのカウンタダイヤル６ａ、６ｂ挟むように配置される平行一対の支持片７１ａと、両支持片７１ａ間をつなぐ接続部７１ｂとを具備する。支持片７１ａは、ラッチ部材５と一体回転するようにラッチ部材５に結合される。
【００２１】
軸部材７２は、ラッチ部材の軸部５２と平行に、保持部材７１の支持片７１ａ間に渡り、一端においてラッチ部材の本体５１に支持される。
【００２２】
ラチェット爪部材７３は、軸部材７２に枢支される。すなわち、ラチェット爪部材７３は、保持部材７１の両支持片７１ａの内側面に重なる対向一対の軸受け片７３ａと、両軸受け片７３ａ間を接続する接続部７３ｂと、この接続部７３ｂからそれぞれ、カウンタダイヤル６ａ、６ｂのラチェットギア部６２側に延出し、各歯溝６２ａ，６２ｂに係合する一対の係合爪７３ｃ、７３ｄとを具備する。ラチェット爪部材７３は、軸部材７２に支持されたばね７４により、係合爪７３ｃ、７３ｄを歯溝６２ａ，６２ｂに係合させる方向に回転付勢される。したがって、係合爪７３ｃ、７３ｄは、ロータ４２の解錠方向の回転時に、カウンタダイヤル６ａ、６ｂをラチェットギア部６２の１歯分押し進めて所定角度回転させ、それによって表示窓から露出する数字表示６１ａを増加方向に変更する。
【００２３】
なお、図示の実施例においては、２つのカウンタダイヤル６ａ、６ｂによって、２桁、「９９」までのまでの数値を表示できるようになっている。カウンタダイヤル６ａが１の位、６ｂが１０の位を表す。ラチェット爪部材７３の係合爪７３ｃが、１の位のカウンタダイヤル６ａの歯溝６２に係合し、他の係合爪７３ｄが、１０の位のカウンタダイヤル６ｂの歯溝６２に係合する。係合爪７３ｄは、屈曲して先端が他の係合爪７３ｃよりギア部６３の半径方向外側に位置しており、歯溝６２ａに対応する位置では、１０の位のダイヤル６ｂの歯溝６２ａに先端が当接しないようになっている。このため、図１０に示すように、（Ａ）の状態において１の位の表示が「８」、１０の位の表示が「０」であるとして、シリンダ錠４が解錠操作されると、１の位のカウンタダイヤル６ａの歯溝６２ａに掛かっている係合爪７３ｃが歯を押して、（Ａ）に示すように、１の位の表示を「９」に進めるが、係合爪７３ｄは、１０の位のダイヤル６ｂの歯から外側に外れているので、１０の位の表示は「０」のままである。（Ａ）の状態になると、係合爪７３ｃ、７３ｄが、共に深い歯溝６２ｂに係合し、双方の先端が歯に当接する。したがって、この状態から、次の解錠操作が行われると、係合爪７３ｃ、７３ｄがそれぞれ歯を押して、１の位の表示を「０」に、１０の位の表示を「１」押し進め、桁上がりが実行される。
【００２４】
なお、ロータ４２を操作する図示しない鍵は、解錠位置においてロータ４２から抜き取ることができないようになっている。
【００２５】
この南京錠１を使用する場合には、まずこれを図示しない鍵を用いて解錠する。ロータ４２の鍵穴４２に鍵を挿入してロータ４２を解錠方向に回転させると、ラッチ部５１ｂが、シャックル３のノッチ３３から離脱し、シャックル３が、ばね３４により解錠位置である伸張位置に突出する。鍵は、ロータ４２に差し込まれたままである。この状態で、例えばコンテナの扉などの被施錠部材にシャックル３を掛け、これを施錠位置である後退位置に押し込んだ状態で、鍵によりロータ４２を施錠方向に回転させ、ラッチ部５１ｂをシャックル３のノッチ３３に係合させた後、鍵をロータ４２から抜き取ることにより、施錠が完了する。この時点で、表示窓２５から表示されている現在の解錠回数の積算数値を記録し、搬送先にこの数値を通知しておく。施錠されたコンテナが目的地に到達したとき、扉の解錠前に、南京錠１の表示窓２５に表示されている数値を見て、予め通知されている数値と同じであれば、搬送途上で解錠されていないことが確認できる。解錠すると、ロータ４２と共に、ラッチ部材５、保持部材７１が解錠方向に回転し、軸部材７２、ラチェット爪部材７３を介してカウンタダイヤル６が表示数値を加算するように回転する。この南京錠１は、使用方法は上記に限定されるものではなく、解錠回数の管理によりセキュリティの強化を図る現場において種々の具体的使用方法が工夫できる。
【符号の説明】
【００２６】
１      南京錠
２      錠本体
２１    錠本体の一端面
２２    第１のシャックル受け孔
２３    第２のシャックル受け孔
２４    錠本体の前面
２５    表示窓
２６    錠本体の他端面
３      シャックル
３１    長脚部
３２    短脚部
３３    ノッチ
３４    ばね
３５    ストッパピン
４      シリンダ錠
４１    シリンダケース
４２    ロータ
４２ａ  鍵穴
４２ｂ  角軸部
５      ラッチ部材
５１    ラッチ部材の本体
５１ａ  角穴
５１ｂ  ラッチ部
５１ｃ  ばね受け凹部
５２    軸部
５３    枢ピン
５４    ばね
６      カウンタダイヤル
６ａ    １の位のカウンタダイヤル
６ｂ    １０の位のカウンタダイヤル
６１    表示部
６１ａ  １の位の数字
６１ｂ  １０の位の数字
６２    ラチェットギア部
６３    軸受け孔
６４    板ばね
７      伝動機構
７１    保持部材
７２    軸部材
７３    ラチェット爪部材
７３ａ  係合爪
７３ｂ  係合爪
７４    ばね
【図１】
0006035309.tif 000002
【図２】
0006035309.tif 000003
【図３】
0006035309.tif 000004
【図４】
0006035309.tif 000005
【図５】
0006035309.tif 000006
【図６】
0006035309.tif 000007
【図７】
0006035309.tif 000008
【図８】
0006035309.tif 000009
【図９】
0006035309.tif 000010
【図１０】
0006035309.tif 000011